(57)【要約】【課題】複数の容器に充填された内容液を、ポンプ装置を用いて、軽く簡便な操作で同時に吐出させられるようにし、かつ、シリンダー内での内容液同士の混合を防止する。【解決手段】吐出装置１００Ａが、内容液を収容する複数の容器１Ａ、１Ｂ、複数の容器１Ａ、１Ｂと連通したポンプ装置１０を備える。ポンプ装置１０は、第１容器１Ａに連通した第１シリンダー１３Ａ、第１シリンダー１３Ａ内に設けられた第１ピストン１６Ａ、第２容器２Ａに連通した第２シリンダー１３Ｂ及び第２シリンダー１３Ｂ内に設けられた第２ピストン１６Ｂからなり、第１ピストン１６Ａと第２ピストン１６Ｂに同時に作用するてこ型レバー２９を備える。また、各シリンダー１３Ａ、１３Ｂと連通した内溶液の吐出路２５Ａ、２５Ｂが、吐出孔２３の手前で一つの吐出弁２６に臨み、各シリンダーから吐出された内容液が吐出弁２６の通過により合流する。【選択図】図１Ａ
2005126144.tif 000002
【特許請求の範囲】
【請求項１】
内容液を収容する複数の容器、
複数の容器と連通したポンプ装置、及び
ポンプ装置のピストンを動作させるレバーを備え、
一度のレバー操作で各容器に収容された内容液が吐出孔から同時に吐出する吐出装置であって、ポンプ装置が、第１容器に連通した第１シリンダー、第１シリンダー内に設けられた第１ピストン、第２容器に連通した第２シリンダー及び第２シリンダー内に設けられた第２ピストンを有し、
レバーが、各ピストンに同時に作用し、
各シリンダーと連通した内溶液の吐出路が、吐出孔の手前で一つの吐出弁に臨み、各シリンダーから吐出された内容液が吐出弁の通過により合流する吐出装置。
【請求項２】
吐出弁が、スリット付きの弾性弁からなり、複数の吐出路の開口端を覆っている請求項１記載の吐出装置。
【請求項３】
吐出弁を閉ざす方向の過度の力に対して、吐出弁が変形して開口しないように、吐出弁のシリンダー側に、吐出弁の変形を規制する逆止弁作動制限部材が設けられている請求項２記載の吐出装置。
【請求項４】
各シリンダーの容器側吸引口に吸引弁が設けられている請求項1〜３のいずれかに記載の吐出装置。
【請求項５】
第１ピストンと第２ピストンの動作方向が等しくなるように第１シリンダーと第２シリンダーが配置され、
レバーが、第１ピストンと第２ピストンに同時に作用する一つのてこ型レバーからなる請求項１〜４のいずれかに記載の吐出装置。
【請求項６】
ポンプ装置の本体ハウジングに、容器の長手方向に伸びた把持部が設けられている請求項１〜５のいずれかに記載の吐出容器。
【請求項７】
容器を囲むケースが設けられている請求項１〜５のいずれかに記載の吐出容器。
【請求項８】
容器の内容積が、内容液の吐出に応じて低減する請求項１〜７のいずれかに記載の吐出装置。
【請求項９】
請求項１〜８のいずれかの吐出装置の第１容器と第２容器にそれぞれ毛髪化粧料の第１剤と第２剤が充填されている毛髪化粧料吐出用具。
【発明の詳細な説明】
【技術分野】
【０００１】
本発明は、複数の内容液をポンプ装置により同時に吐出させる吐出装置に関する。
【背景技術】
【０００２】
従来、二剤形式の毛髪化粧料として、例えば、酸化染料を含有する第１剤と、過酸化水素等の酸化剤を含有する第２剤とからなる二剤形式の染毛剤が知られている。また、ヘアブリーチとして、アルカリ剤を含有する第１剤と、過酸化水素を含有する第２剤とからなる二剤形式のものが知られている。
【０００３】
このような毛髪化粧料は、保存安定性の点から、第１剤と第２剤とがそれぞれ別個の容器に収容され、使用時に第１剤と第２剤とが混合される。この第１剤と第２剤を同時に吐出させる装置として、例えば、特許文献１には、２つのエアゾール容器に、これらのステムを同時に押し下げることのできる操作部材を取り付けたものが記載されている。
【０００４】
また、特許文献２には、２つのポンプ容器に、これらの排出ステムを一つの吐出孔に連結するアダプターを設け、アダプター上に装着した噴出ボタンを押し下げることにより、２つのポンプを同時に作用させ、一つの吐出孔から二液を同時に吐出させるものが記載されている。さらに、二液を同時に吐出させるポンプ容器としては、トリガー式ポンプを備えたものも知られている（特許文献３）。
【０００５】
【特許文献１】特開２０００−２９７０１８号公報
【特許文献２】実開平５−２９９８２号公報
【特許文献３】特開平８−２２９４６５号公報
【発明の開示】
【発明が解決しようとする課題】
【０００６】
しかしながら、エアゾール容器は製造コストが高い。廃棄時には、ガス抜きをした後に缶ゴミとして捨てることが必要となるので煩雑である。また、ステムを押し下げている間に内容液が吐出され続けるので、定量吐出させることができない。
【０００７】
一方、ポンプ容器では、２つのポンプ装置のステムを同時に一つの噴出ボタンで押し下げるために、相応の力が必要となる。特に、通常、染毛剤等の毛髪化粧料の吐出操作は片手で行われるから、片手で二液分のポンプ容器を把持し、その状態で噴出ボタンを指一本で押圧し、２つ分のポンプ装置のステムを同時に押し下げることは、軽い操作ではできない。
【０００８】
特許文献３に記載されているようにトリガー式ポンプで二剤を吐出させる場合には、一旦トリガー式ポンプで二剤を吐出させた後には、トリガー式ポンプのシリンダー内に二剤の混合液が滞留することとなるため、次にこの容器を使用するまでの間に、シリンダー内で二剤の反応が進んでしまうという問題が生じる。
【０００９】
これに対し、本発明は、複数の容器に充填された内容液を、ポンプ装置を用いて、軽く簡便な操作で同時に吐出させられるようにし、かつシリンダー内での剤の混合を防止することを目的とする。
【課題を解決するための手段】
【００１０】
本発明は、複数の容器からポンプ装置を用いて各容器の内容液を同時に吐出させるにあたり、ポンプ装置として、各容器ごとにシリンダーとピストンを設け、さらに各ピストンに同時に作用するようにレバーを設け、吐出孔の手前に一つの吐出弁を設け、各シリンダーと連通した内溶液の吐出路がこの吐出弁に臨むようにすると、シリンダー内での内溶液同士の混合を防止でき、また、各内溶液について吐出と反対方向の流れを遮断する逆止弁として、一つの吐出弁を設ければ足るので、部品点数を減らして製造コストを下げられることを見出した。
【００１１】
即ち、本発明は、内容液を収容する複数の容器、
複数の容器と連通したポンプ装置、及び
ポンプ装置のピストンを動作させるレバーを備え、
一度のレバー操作で各容器に収容された内容液が吐出孔から同時に吐出する吐出装置であって、
ポンプ装置が、少なくとも、第１容器に連通した第１シリンダー、第１シリンダー内に設けられた第１ピストン、第２容器に連通した第２シリンダー及び第２シリンダー内に設けられた第２ピストンを有し、
レバーが、各ピストンに同時に作用し、
各シリンダーと連通した内溶液の吐出路が、吐出孔の手前で一つの吐出弁に臨み、各シリンダーから吐出された内容液が吐出弁の通過により合流する吐出装置を提供する。
【００１２】
また、本発明の吐出装置の第１容器と第２容器にそれぞれ毛髪化粧料の第１剤と第２剤が充填されている毛髪化粧料吐出用具を提供する。
【発明の効果】
【００１３】
本発明の吐出装置によれば、複数の容器に収容された各溶液の所定量を、同時に吐出させることが出来る。そして、吐出孔の手前に吐出弁を設け、各内溶液の吐出路がこの吐出弁に臨むようにするので、シリンダー内での内溶液同士の混合を防止することでき、また、吐出と反対方向の流れを遮断する逆止弁として、一つの吐出弁を設ければ足りるよう構成したので部品点数を減らして製造コストを下げることができる。
【００１４】
さらに、本発明の吐出装置において、レバーとして、第１ピストンと第２ピストンに同時に作用するてこ型レバーを設けた場合には、各容器から内容液を吐出させる際に、吐出装置を片手で把持し、指をレバーに掛け、１度の軽いレバー操作で吐出させることができる。即ち、通常、エアゾール容器あるいはポンプ容器に操作部材として設けられている押しボタンは、指一本で押圧操作をするように形成されているため、複数本の指で操作することは実際上難しく、そのため、二液分の吐出操作を行う場合には、その操作が重く感じられるが、本発明において、てこ型レバーを設けた場合には、容易に複数本の指をレバーに掛けることができ、軽い力で吐出操作をすることができる。特に、このてこ型レバーを幅広に形成すると、複数本の指を掛けて操作することが容易となり、より一層軽い力で吐出操作をすることが可能となる。
【発明を実施するための最良の形態】
【００１５】
以下、図面を参照しつつ本発明を詳細に説明する。なお、各図中、同一符号は同一又は同等の構成要素を表している。
【００１６】
図１Ａ、図１Ｂは、本発明の一態様の吐出装置１００Ａの初期状態の断面図である。なお、図１Ａは２つの容器１Ａ、１Ｂの配列方向と平行な切断面の図であり、図１Ｂは上述の切断面と垂直な方向の切断面の図である。また、図２Ａ、図２Ｂ、図２Ｃは、吐出装置１００Ａの作用を表す断面図である。
【００１７】
この吐出装置１００Ａは、第１内容液Ａを収容する第１容器１Ａと、第２内容液Ｂを収容する第２容器１Ｂ、及びこれらの容器１Ａ、１Ｂに冠着するポンプ装置１０からなっている。各容器１Ａ、１Ｂの口部２Ａ、２Ｂは、それぞれポンプ装置１０の容器装着部１１Ａ、１１Ｂに着脱自在に螺着している。
【００１８】
ポンプ装置１０は、シリンダー１３Ａ、ピストン１６Ａ等から構成されるポンプ部９Ａと、シリンダー１３Ｂ、ピストン１６Ｂ等から構成されるポンプ部９Ｂを有し、第１容器１Ａに連通した第１シリンダー１３Ａと第２容器に連通した第２シリンダー１３Ｂが並列して設けられている。各シリンダー１３Ａ、１３Ｂは、容器１Ａ、１Ｂの長手方向に対して垂直方向に伸びている。また、各シリンダー１３Ａ、１３Ｂ内には、それぞれピストン１６Ａ、１６Ｂが設けられ、シリンダー１３Ａ、１３Ｂとピストン１６Ａ、１６Ｂとで画された計量室１７Ａ、１７Ｂ内には、ピストン１６Ａ、１６Ｂをシリンダー１３Ａ、１３Ｂ内に押し込む力に対して反発するバネ材１９Ａ、１９Ｂが設けられている。
【００１９】
図１Ａに記載の如く、２つのシリンダー１３Ａ、１３Ｂが並列して設けられていることで、２つのポンプ部９Ａ、９Ｂの動作のためには２つのピストン１６Ａ、１６Ｂを同じ方向に移動させればよく、これにより１つのてこ型レバー２９の操作で２つのピストン１６Ａ、１６Ｂを同時に移動させ、２つのポンプ部９Ａ、９Ｂから同時に内溶液を吐出させることが可能となる。
【００２０】
ここで、シリンダー１３Ａ、１３Ｂは高密度ポリエチレン、ポリプロピレン等の合成樹脂から形成され、ピストン１６Ａ、１６Ｂは低密度ポリエチレン等から形成される。
【００２１】
第１のシリンダー１３Ａ内の計量室１７Ａは、吸引弁１８Ａを介して第１容器１Ａの口部２Ａと連通し、第２のシリンダーの基部１３Ｂ内の計量室１７Ｂは、吸引弁１８Ｂを介して第２容器１Ｂの口部２Ｂと連通している。
【００２２】
吸引弁１８Ａ、１８Ｂとしては、樹脂バネ弁、１点弁、３点弁、ボール弁等を使用することができる。また、吐出装置１００Ａの使用途中で各容器１Ａ、１Ｂを容器装着部１１Ａ、１１Ｂから外したときに、吸引弁１８Ａ、１８Ｂが容器１Ａ、１Ｂに装着されたままの状態となるように、吸引弁１８Ａ、１８Ｂは容器１Ａ、１Ｂの口部に設けることが好ましい。これにより、容器１Ａ、１Ｂを容器装着部１１Ａ、１１Ｂから外したときに、容器１Ａ、１Ｂ内に空気が混入することを防止できる。したがって、容器内に空気が混入することによる内容液の酸化劣化を防止でき、また、再度その容器１Ａ、１Ｂを容器装着部１１Ａ、１１Ｂに取り付けて使用した場合に、吐出装置１００Ａから内容液と空気が混ざって吐出され、内容液の吐出量が不安定となる、所謂エア噛みを防止することができる。
【００２３】
吐出ノズル２２は、ピストン１６Ａ、１６Ｂの動作方向と垂直（即ち、容器の長手方向）に形成されている。また、吐出孔２３の手前の吐出ノズル２２の内側基部には、シリンダーが負圧になったときに閉じ、加圧になったときに開く逆止弁として一つの吐出弁２６が設けられている。各計量室１７Ａ、１７Ｂから吐出ノズル２２に至る吐出路２５Ａ、２５Ｂは別個に形成されているが、各吐出路２５Ａ、２５Ｂともこの吐出弁２６に臨み、吐出弁２６の下流では各内容液Ａ、Ｂが合流して吐出されるようになっている。
【００２４】
したがって、この吐出装置１００Ａによれば、一つの吐出弁２６で、第１内容液Ａの吐出弁と第２内容液Ｂの吐出弁を兼ねさせることができるので、部品点数を減らして製造コストを低減させることができる。さらに、吐出弁２６の通過により各内溶液Ａ、Ｂの流れに乱れが生じ、吐出ノズル２２内が混合空間２４となり、双方の内溶液Ａ、Ｂが良好に混合して吐出されるようになる。
【００２５】
図１Ｂの破線枠内は、この吐出弁２６を吐出孔２３側からみた平面図である。この吐出弁２６は、有底筒状の弾性部材からなる。その底部の中央部には十文字のスリット２７が形成されており、底部が変形することによりこのスリット２７が開口するようになっている。
【００２６】
吐出弁２６の内側には、逆止弁作動制限部材２８が取り付けられている。この逆止弁作動規制部材２８は、吐出弁２６が逆止弁作動制限部材２８と反対側に突出するように変形する場合には、その変形を妨げないが、逆止弁作動制限部材２８側に突出するように変形しようとする場合には、その変形を妨げ、吐出弁２６が開口しないようにするものである。このように、吐出弁２６に逆止弁作動制限部材２８を併用すると、簡便な構造で、確実に逆止弁として機能させ、反対方向の流れを遮断することができる。
【００２７】
なお、本発明では、スリット２７付きの弾性部材からなる吐出弁２６、あるいはこの吐出弁２６と逆止弁作動制限部材２８との組み合わせに代えて、吐出孔２３の手前に設ける吐出弁として、ポンプディスペンサーで用いられている一点弁や３点弁などの樹脂弁、ないしは金属球や樹脂性球を用いたボール弁等の逆止弁構造等を設けてもよい。
【００２８】
吐出ノズル２２の外側基部には、板状のてこ型レバー２９の一端２９ａが回動自在に連結されている。このてこ型レバー２９は幅広で、第１ピストン１６Ａと第２ピストン１６Ｂの突出部に同時に当接する凸部２９ｂを有している。てこ型レバー２９が板状で幅広であることにより、複数本の指を同時にかけることができる。したがって、てこ型レバー２９の他端２９ｃを容器１Ａ、１Ｂ側に押し込むと、吐出ノズル２２の基部と連結されている一端２９ａを支点とし、凸部２９ｂを作用点として、てこの原理により、第１ピストン１６Ａと第２ピストン１６Ｂを軽い力で同時に押し込むことが可能となる。
【００２９】
また、てこ型レバー２９の押圧部とする端部２９ｃに凹みを形成すると、てこ型レバー２９が幅広であることにより複数本の指をこのレバーに掛けられることと相俟って、てこ型レバーの押し込みがより一層容易となる。
【００３０】
一方、容器１Ａ、１Ｂに充填する第１内容液、第２内容液としては、二剤を混合することで反応を開始する種々の剤、例えば、二剤形式の種々の染毛剤、ブリーチ剤、ホットシェービング剤、接着剤等をあげることができる。
【００３１】
容器１Ａ、１Ｂとしては、変形可能で、内容液の吐出に応じて内容積が低減するものが好ましい。このような容器としては、例えば、ポリエチレン、ポリプロピレン等の軟質可撓性材料からなるチューブ容器やパウチ容器（袋）、内容液の吐出に応じて容器底部からポンプ装置側へ次第に上昇する可動中皿を備えた容器、容器が内層と外層の積層構造からなり、内層容器内が内容液の吐出に応じて減圧あるいは減容すると内層が剥離して内層容器が体積収縮するデラミボトル等がある。
【００３２】
また、容器１Ａ、１Ｂの形成素材としては、収容する内容液の種類に応じて、酸素バリア性を備えたものが好ましい。例えば、この吐出装置１００Ａを、酸化染料を含む第１剤と過酸化水素を含む第２剤からなる二剤形式の染毛剤の吐出用具として用いる場合、第１剤を収容する第２容器１Ｂは、外層を低密度乃至高密度ポリエチレンやポリプロピレン等のポリオレフィン系樹脂から形成し、中間層をエチレン・ビニルアルコール共重合体フィルム、メタキシレンジアミンを用いたポリアミドフィルム等の酸素ガスバリア層、好ましくは水分バリア性、酸化染料のバリア性に優れた環状ポリオレフィン層から形成し、内層をポリオレフィン層とした積層構造の容器（特開２００２−３４５５４８号）とすることが好ましい。また、第２剤を収容する第１容器１Ａは、外層を低密度ポリエチレンから形成し、内層を直鎖低密度ポリエチレンから形成した、酸素ガスを透過する容器（特開２００２−８７４１８号公報）とすることが好ましい。
【００３３】
この吐出装置１００Ａの使用方法は、まず、片手でてこ型レバー２９に指を掛けるようにしてポンプ装置１０を把持し、図２Ａに矢印で示したように、てこ型レバー２９を押し込む。これにより、第１ピストン１６Ａと第２ピストン１６Ｂが同時にそれぞれのシリンダー１３Ａ、１３Ｂ内に押し込まれ、バネ材１９Ａ、１９Ｂが縮み、各々の計量室１７Ａ、１７Ｂが加圧になる。そのため、計量室１７Ａ、１７Ｂ内の空気が吐出路２５Ａ、２５Ｂを経由し、吐出弁２６を通して吐出される。
【００３４】
次に、てこ型レバー２９の押し込みを解除する。すると、図２Ｂに示すように、縮められていたバネ材１９の反発力により各ピストン１６Ａ、１６Ｂが押し戻される。これにより計量室１７Ａ、１７Ｂの容積が拡大してその内部が減圧になるので、吸引弁１８Ａ、１８Ｂが開口して、第１容器１Ａ、第２容器１Ｂから内容液Ａ、Ｂが、それぞれ計量室１７Ａ、１７Ｂに吸引される。このとき、吐出弁２６にも計量室１７Ａ、１７Ｂ側に変形させる力が加わるが、吐出路２５Ａ、２５Ｂ側（上流側）に存在する逆止弁作動制限部材２８がこの変形を妨げるので、吐出弁２６は開口することなく、確実に閉じたままである。
【００３５】
次に、図２Ｃに示すように、てこ型レバー２９を再度押し込む。これにより、計量室１７Ａ、１７Ｂが狭められ、吸引弁１８Ａ、１８Ｂが閉じ、吐出弁２６が開口し、第１計量室１７Ａに吸引されていた第１内容液Ａと第２計量室に吸引されていた第２内容液Ｂが同時に混合状態で吐出孔２３から吐出する。
【００３６】
以降、てこ型レバー２９の押し込みと解除を繰り返すことにより、第１内容液Ａと第２内容液Ｂを同時に吐出孔２３から吐出させることができる。
【００３７】
この場合、第１内容液Ａと第２内容液Ｂの吐出量は、それぞれ、ピストン１６Ａ、１６Ｂの有効面積とピストン１６Ａ、１６Ｂの移動量により定まるので、ピストン１６Ａ、１６Ｂの有効面積又はその移動量を適宜調整することにより、第１内容液Ａと第２内容液Ｂの混合液を定量吐出させることができる。さらに、てこ型レバー２９の全ストロークに亘ってピストン１６Ａ、１６Ｂの突出部にてこ型レバー２９の凸部２９ｂが接しているので、第１内容液Ａの吐出量と第２内容液Ｂの吐出量の比は、ピストン１６Ａ、１６Ｂの有効面積の比によって定まる。従って、使用者は、混合液の吐出量がどのような量でも、第１内容液Ａと第２内容液Ｂの混合比を一定にすることができ、てこ型レバー２９の押し込み量を調節するのみで容易に所望量の混合液を一定の混合比で得ることが出来る。
【００３８】
また、てこ型レバー２９を用いて、２つのピストン１６Ａ、１６Ｂを同時に押し込むので、てこの原理により軽いレバー操作で第１内容液Ａと第２内容液Ｂを吐出させることができる。
【００３９】
図３Ａの吐出装置１００Ｂは、図１Ａ、図２Ｂの吐出装置１００Ａの変形態様であって、図３Ｂはその側面図、図３Ｃは底面図である。この吐出装置１００Ｂには、対向する一対の把持部３０が、ポンプ装置１０の本体ハウジング１２に形成されている。この把持部３０は、ポンプ装置１０に取り付けた容器１Ａ、１Ｂの側面を両側から挟むように、本体ハウジング１２から容器１Ａ、１Ｂの長手方向に伸びた板状部材からなる。
【００４０】
このように把持部３０を設けることにより、吐出装置１００Ｂを手で握り、てこ型レバー２９を矢印方向に押し込む際に、てこ型レバー２９に力をかけやすくなる。特に、容器１Ａ、１Ｂが軟質可撓性材料からなるチューブ容器やパウチ容器である場合、容器１Ａ、１Ｂとてこ型レバー２９を直接的に手で把持しつつ、てこ型レバー２９に力を加えると、容器１Ａ、１Ｂが撓むので力を加えにくいが、把持部３０で把持することにより、てこ型レバー２９の押し込みが容易になる。
【００４１】
また、把持部３０を設けることにより、吐出装置１００Ｂの使用に際して、把持部３０に沿って容器１Ａ、１Ｂをポンプ装置１０に取り付けることができるので、容器１Ａ、１Ｂの取り付けが容易となり、さらに、吐出装置１００Ｂの使用時に容器１Ａ、１Ｂに不測の力が加わっても、容器１Ａ、１Ｂがポンプ装置１０から外れることを防止できる。
【００４２】
図４Ａ、図４Ｂ、図４Ｃの吐出装置１００Ｃは、図３Ａ、図３Ｂ、図３Ｃの吐出装置１００Ｂと同様に、把持部３０を有するが、この吐出装置１００Ｃは、容器１Ａ、１Ｂをポンプ装置１０から着脱自在とする他、ポンプ装置１０自体についても、把持部３０と容器装着部を有する下部ハウジング１２ｂ、シリンダーを内蔵する上部ハウジング１２ｃ、てこ型レバー２９、吐出ノズル２２の各パーツを容易に分解、組み立てできるようにしたものである。これより、ポンプ装置１０の洗浄が容易となる。
【００４３】
図５Ａ、図５Ｂ、図５Ｃの吐出装置１００Ｄも、図１Ａ、図１Ｂの吐出装置１００Ａの変形態様であって、本体ハウジング１２に把持部３０を設けたものであるが、この吐出装置１００Ｄにおいては、把持部３０を容器１Ａ、１Ｂの末端にまで伸ばしている。そこで、この吐出装置１００Ｄでは把持部３０の撓みによる変形を防止するため、対向する一対の把持部３０の間に支持板３１を設けている。
【００４４】
図６Ａ、図６Ｂ、図６Ｃの吐出装置１００Ｅは、把持部３０に代えて、容器１Ａ、１Ｂを囲むケース３２を設けたものである。このケースは、ポンプ装置１０の本体ハウジング１２に着脱自在に嵌着する。
【００４５】
本発明は、種々の態様をとることができる。例えば、図１Ａ、図１Ｂの吐出装置１００Ａにおいて、吐出ノズル２２を、ピストン１６Ａ、１６Ｂの動作方向と平行になるように形成してもよい。また、ピストン１６Ａ、１６Ｂの動作方向と容器１Ａ、１Ｂの長手方向との角度は垂直に限られない。
【００４６】
また、吐出装置１００Ａにおいて、第３の容器とその第３の容器に連通した第３シリンダーを設け、その第３シリンダー内の第３ピストンもてこ型レバー２９で押し込めるようにしてもよい。これにより、１度のレバー操作で第１、第２、第３の内容液を同時に吐出させることができる。
【００４７】
さらに、上述のいずれの吐出装置にも、その用途に応じて、吐出ノズル２２の先端部に櫛やブラシ等の塗布具を設けてもよい。
【００４８】
例えば、図７Ａ、図７Ｂに示すように、先端開口部に複数のスリット４１が開口している先端部材４０あるいは先端開口部がメッシュ状になっている先端部材（図示せず）を吐出ノズル２２に被せてもよい。これにより、吐出ノズル２２から直接毛髪に毛髪化粧料を塗布する際に、ノズルの頭皮への接触面積が広くなり、頭皮への刺激を和らげることができる。また、スリット４１あるいはメッシュを通すことにより、吐出ノズル２２内の第１剤と第２剤の流れに乱れを生じさせ、ノズルから吐出した後の両剤を混ざりやすくすることができる。
【００４９】
図８Ａ、図８Ｂに示すように、吐出孔２３の周囲に刷毛部４２を設けた筒型塗布具４３を吐出ノズル２２に取り付けてもよい。これにより、この吐出装置１００Ａを用いて直接部分染め等を行うことが容易となる。
【００５０】
図９Ａ、図９Ｂに示すように、矩形の基台４４に複数のブラシ歯４５を立設させ、中央部に吐出孔２３を開口したブラシ４６を吐出ノズル２２に取り付けてもよい。これにより、この吐出装置１００Ａを用いて毛髪全体を染毛することが容易となる。この他、図１０Ａ、図１０Ｂに示すように、容器１Ａ、１Ｂの起立方向に起立した刷毛４７が、２つの容器１Ａ、１Ｂの配列方向に伸びたスリット状の吐出孔２３の周囲に植毛されている刷毛状塗布具４８、図１１Ａ、図１１Ｂに示すように、内部に流路４９が形成され、両面に吐出孔２３が開口した板状櫛歯５０が、容器１Ａ、１Ｂの起立方向に起立し、櫛歯の厚み方向に列設しているバリカン型塗布具５１、図１２Ａ、図１２Ｂに示すように、内部に流路４９が形成され、両面に吐出孔２３が開口した板状櫛歯５０が、ほぼ、２つの容器１Ａ、１Ｂの配列方向に起立し、櫛歯の厚み方向に列設している染毛用塗布具５２等を吐出ノズル２２に取り付けてもよく、これらによっても、別途染毛ブラシあるいは染毛用櫛を用意することなく、毛髪全体の染毛を容易に行うことができる。
【００５１】
本発明の毛髪化粧料吐出用具は、本発明の吐出装置の第１容器と第２容器にそれぞれ毛髪化粧料の第１剤と第２剤を充填したものである。したがって、本発明の毛髪化粧料吐出用具によれば、毛髪化粧料の第１剤と第２剤を別個に保管し、吐出時には、１度の軽いレバー操作で、毛髪化粧料の第１剤と第２剤を同時に吐出させることができる。
【００５２】
毛髪化粧料としては、酸化染料又は直接染料とアルカリ剤とを含有する第１剤と、過酸化水素等の酸化剤を含有する第２剤とからなる二剤式染毛剤や、アルカリ剤を含有する第１剤と、過酸化水素等の酸化剤を含有する第２剤とからなる二剤式脱色剤をあげることができる。中でも、第１剤のアルカリ剤として、アンモニアとアンモニウム塩を併用することにより、容器からのアンモニアの揮散を抑制したものが好ましい。このような二剤式毛髪化粧料の好ましい態様としては、第１剤として、水性媒体中にアンモニアを０．０１〜３重量％及びアンモニウム塩を０．０１〜１０重量％含有するものを使用し、第２剤として、水性媒体中に過酸化水素を含有するものをあげることができる。ここで、アンモニウム塩としては、リン酸アンモニウム、塩化アンモニウム、硝酸アンモニウム、硫酸アンモニウム等をあげることができる。
【００５３】
また、第１剤には、カチオン性界面活性剤を含有させることが好ましく、第１剤と第２剤に非イオン性界面活性剤、高級アルコール、シリコーン類を含有させることが好ましい。これにより、毛髪の染色、脱色効果及びコンディショニング効果を高め、液だれを防止する等の染毛時の操作性をよくすることができる。
【産業上の利用可能性】
【００５４】
本発明の吐出装置は、二剤形式の染毛剤、ブリーチ剤等の毛髪化粧料や、二剤形式の接着剤等、複数の剤を混合することで反応を開始する多剤形式の剤の各構成剤を一定量ずつ計量しながら吐出させるのに好適である。
【図面の簡単な説明】
【００５５】
【図１Ａ】吐出装置１００Ａの初期状態を表す断面図である。
【図１Ｂ】吐出装置１００Ａの初期状態を表す断面図である。
【図２Ａ】吐出装置１００Ａの作用を表す断面図である。
【図２Ｂ】吐出装置１００Ａの作用を表す断面図である。
【図２Ｃ】吐出装置１００Ａの作用を表す断面図である。
【図３Ａ】把持部を設けた吐出装置１００Ｂの斜視図である。
【図３Ｂ】把持部を設けた吐出装置１００Ｂの側面図である。
【図３Ｃ】把持部を設けた吐出装置１００Ｂの底面図である。
【図４Ａ】把持部を設けた吐出装置１００Ｃの正面図である。
【図４Ｂ】把持部を設けた吐出装置１００Ｃの側面図である。
【図４Ｃ】把持部を設けた吐出装置１００Ｃの分解斜視図である。
【図５Ａ】把持部を設けた吐出装置１００Ｄの斜視図である。
【図５Ｂ】把持部を設けた吐出装置１００Ｄの側面図である。
【図５Ｃ】把持部を設けた吐出装置１００Ｄの底面図である。
【図６Ａ】ケースを設けた吐出装置１００Ｅの斜視図である。
【図６Ｂ】ケースを設けた吐出装置１００Ｅの側面図である。
【図６Ｃ】ケースを設けた吐出装置１００Ｅの底面図である。
【図７Ａ】先端部材を被せた吐出装置１００Ａの正面図である。
【図７Ｂ】先端部材を被せた吐出装置１００Ａの断面図である。
【図８Ａ】刷毛状先端部材を被せた吐出装置１００Ａの正面図である。
【図８Ｂ】刷毛状先端部材を被せた吐出装置１００Ａの断面図である。
【図９Ａ】ブラシを取り付けた吐出装置１００Ａの正面図である。
【図９Ｂ】ブラシを取り付けた吐出装置１００Ａの部分断面図である。
【図１０Ａ】刷毛状塗布具を取り付けた吐出装置１００Ａの正面図である。
【図１０Ｂ】刷毛状塗布具を取り付けた吐出装置１００Ａの断面図である。
【図１１Ａ】バリカン型塗布具を取り付けた吐出装置１００Ａの正面図である。
【図１１Ｂ】バリカン型塗布具を取り付けた吐出装置１００Ａの断面図である。
【図１２Ａ】染毛用塗布具を取り付けた吐出装置１００Ａの部分断面図である。
【図１２Ｂ】染毛用塗布具を取り付けた吐出装置１００Ａの部分断面図である。
【符号の説明】
【００５６】
１Ａ  第１容器
１Ｂ  第２容器
２Ａ、２Ｂ  口部
９Ａ、９Ｂ  ポンプ部
１０    ポンプ装置
１２    本体ハウジング
１３Ａ  第１シリンダー
１３Ｂ  第２シリンダー
１６Ａ  第１ピストン
１６Ｂ  第２ピストン
１７Ａ  第１計量室
１７Ｂ  第２計量室
１８Ａ、１８Ｂ    吸引弁
１９    バネ材
２２    吐出ノズル
２３    吐出孔
２６    吐出弁
２７    スリット
２８    逆止弁作動制限部材
２９    てこ型レバー
３０    把持部
３２    ケース
１００Ａ、１００Ｂ、１００Ｃ、１００Ｄ、１００Ｅ  吐出装置
Ａ  第１内容液
Ｂ  第２内容液
【図１Ａ】
2005126144.tif 000003
【図１Ｂ】
2005126144.tif 000004
【図２Ａ】
2005126144.tif 000005
【図２Ｂ】
2005126144.tif 000006
【図２Ｃ】
2005126144.tif 000007
【図３Ａ】
2005126144.tif 000008
【図３Ｂ】
2005126144.tif 000009
【図３Ｃ】
2005126144.tif 000010
【図４Ａ】
2005126144.tif 000011
【図４Ｂ】
2005126144.tif 000012
【図４Ｃ】
2005126144.tif 000013
【図５Ａ】
2005126144.tif 000014
【図５Ｂ】
2005126144.tif 000015
【図５Ｃ】
2005126144.tif 000016
【図６Ａ】
2005126144.tif 000017
【図６Ｂ】
2005126144.tif 000018
【図６Ｃ】
2005126144.tif 000019
【図７Ａ】
2005126144.tif 000020
【図７Ｂ】
2005126144.tif 000021
【図８Ａ】
2005126144.tif 000022
【図８Ｂ】
2005126144.tif 000023
【図９Ａ】
2005126144.tif 000024
【図９Ｂ】
2005126144.tif 000025
【図１０Ａ】
2005126144.tif 000026
【図１０Ｂ】
2005126144.tif 000027
【図１１Ａ】
2005126144.tif 000028
【図１１Ｂ】
2005126144.tif 000029
【図１２Ａ】
2005126144.tif 000030
【図１２Ｂ】
2005126144.tif 000031